(57)【特許請求の範囲】
【請求項１】
テレビ信号を検出するテレビ信号検出回路の、テレビの水平同期信号をカウントしてテレビ信号の有無を判定するテレビ信号検出用デジタル処理回路に、テレビの水平同期信号をＡＣ結合で入力するとともに、中間周波数増幅回路のＩＦ・ＡＧＣ電圧を、抵抗で分圧して前記テレビ信号検出用デジタル処理回路にＤＣ結合で印加することを特徴とするテレビ信号検出回路。
【請求項２】
請求項１に記載のテレビ信号検出回路において、前記中間周波数増幅回路のＩＦ・ＡＧＣをリバース方式とし、前記ＩＦ・ＡＧＣ電圧の分圧抵抗の一端を前記ＩＦ・ＡＧＣ電圧の最大値よりも高い電圧の基準電圧源に接続することを特徴とするテレビ信号検出回路。
【請求項３】
請求項１に記載のテレビ信号検出回路において、前記中間周波数増幅回路のＩＦ・ＡＧＣをフォワード方式とし、前記ＩＦ・ＡＧＣ電圧の分圧抵抗の一端を前記ＩＦ・ＡＧＣ電圧の最小値よりも低い電圧の基準電圧源に接続することを特徴とするテレビ信号検出回路。
【請求項４】
請求項１乃至請求項３のいずれかに記載のテレビ信号検出回路を用いたことを特徴とするテレビ受信機。
【発明の詳細な説明】
【０００１】
【発明の属する技術分野】
本発明は、テレビ信号検出回路及びそれを用いたテレビ受信機に関する。より詳しくは、テレビ信号の受信可能なチャンネルを自動掃引し、テレビ信号が検出されるとそのチャンネル番号をプリセットするオート・プリセット機能や、テレビ信号の受信可能なチャンネルを自動掃引し、テレビ信号が検出されると掃引を停止してそのチャンネルを受信するオート・サーチ機能を有するテレビ受信機のテレビ信号検出回路に関するものである。
【０００２】
【従来の技術】
図５に従来のテレビ信号検出回路の一例を示す。１は受信アンテナ、２は選局用チューナー、３は中間周波数増幅回路、４は同期分離回路、５は映像復調回路、６は表示回路、７は選局用マイコンである。
【０００３】
図において、選局用マイコン７はチューナー２を制御してテレビのチャンネルを受信できる状態にする。そして、受信アンテナ１で受信されたテレビ信号は、選局用チューナー２で選局後、中間周波数に変換して出力され、中間周波数増幅回路３に供給される。中間周波数増幅回路３では信号の増幅と検波が行われ、複合映像信号を出力する。この複合映像信号は同期分離回路４及び映像復調回路５に供給される。同期分離回路４では複合映像信号から同期信号を分離し、選局用マイコン７に供給する。一方、映像復調回路５では色復調が行われ、その結果表示回路６にはカラー映像が再生されるようになっている。
【０００４】
ところで、選局用マイコン７はテレビ信号が検出されるとそのチャンネル番号をプリセットするオート・プリセット機能やテレビ信号が検出されると掃引を停止してそのチャンネルを受信するオート・サーチ機能を有し、これらの動作時には入力された同期信号から水平同期信号をカウントし、一定期間内のカウント数が規定値に達するとテレビ信号“有り”と判定してプリセットやサーチ停止動作を行うようになっている。
【０００５】
具体的には、ＴＴＬレベルの同期信号が選局用マイコン７の水平同期カウンタ入力端子に加えられ、選局用マイコン７は一定期間内に入力された同期信号が何回閾値を越えたかをカウントしている。
【０００６】
このため、図６のように受信信号レベルが低下して同期信号にノイズが混入していると、ノイズの振幅が例えば図６のＶｔｈ（Ｌ）で示す水平同期カウンタ入力端子の閾値を越えるレベルであれば水平同期信号として誤ってカウントすることになり、テレビ信号“有り”と判定して、その結果、見るに耐えないような微弱なテレビ信号や放送波の存在すら分からないような極微弱な信号、更には全く放送波の無いチャンネルをもプリセットしたりサーチ停止してしまうという不都合を生じていた。
【０００７】
そこで、有用なテレビ信号のみを検出し微弱信号やノイズを検出しなくするようにするために、一般的には同期信号にロー・パス・フィルターを掛ける細工を施しているものの、フィルターの微妙な設定で検出性能が大きく変化してしまい、要求を満足する特性を得ることが困難であった。
【０００８】
このような不具合を解決するために、図７に示すように、中間周波数増幅回路のＩＦ・ＡＧＣ電圧を比較回路により検出し、この検出出力と同期信号検出回路の出力の論理和により“有信号／無信号”を判定処理している例も有るが、比較回路が必要なためその分回路が複雑で高価になる欠点があった。
【０００９】
【発明が解決しようとする課題】
オート・プリセット機能やオート・サーチ機能を実現するためのテレビ信号検出手段として、入力された同期信号の水平同期信号をカウントしてカウント数の大小により信号の有無を判別する方式が有る。しかし、この方式では水平同期信号の周期やパルス幅に無関係に信号の立上りや立下がりの回数をカウントするため、振幅さえ十分であればノイズでもカウントしてしまうことになり、その結果、テレビ番組として鑑賞することが不可能な微弱電界のテレビ信号も有信号（テレビ信号有り）として検出するばかりでなく、テレビ信号が全く無くノイズのみのチャンネルをも有信号チャンネルとして誤検出処理することがあり、実用上不都合を生じていた。
【００１０】
そこで本発明では、テレビ信号検出の誤動作が無く、且つ鑑賞に堪えないような微弱なテレビ信号は有信号として検出しないようにした実用性の高いテレビ信号検出回路を得ることを目的とする。
【００１１】
【課題を解決するための手段】
本発明のテレビ信号検出回路は、テレビ信号を検出するテレビ信号検出回路のテレビ信号検出用デジタル入力端子に中間周波数増幅回路のＩＦ・ＡＧＣ電圧を重畳し、前記テレビ信号検出用デジタル入力端子に印加される入力信号のＤＣレベルを前記テレビ信号検出用デジタル入力端子の閾値に対応して可変することによりテレビの局検出感度を設定することを特徴とする。
【００１２】
また、テレビの水平同期信号をカウントしてテレビ信号の有無を判定するテレビ信号検出用デジタル処理回路によって、有信号の微弱電界や無信号状態での局検出を禁止することを特徴とする。
【００１３】
また、本発明のテレビ信号検出回路はテレビ信号を検出するテレビ信号検出回路の、テレビの水平同期信号をカウントしてテレビ信号の有無を判定するテレビ信号検出用デジタル処理回路に、テレビの水平同期信号をＡＣ結合で入力するとともに、中間周波数増幅回路のＩＦ・ＡＧＣ電圧を、抵抗で分圧して前記テレビ信号検出用デジタル処理回路にＤＣ結合で印加することを特徴とする。
【００１４】
さらに、前記中間周波数増幅回路のＩＦ・ＡＧＣをリバース方式とし、前記ＩＦ・ＡＧＣ電圧の分圧抵抗の一端を前記ＩＦ・ＡＧＣ電圧の最大値よりも高い電圧の基準電圧源に接続することを特徴とする。
【００１５】
また、前記中間周波数増幅回路のＩＦ・ＡＧＣをフォワード方式とし、前記ＩＦ・ＡＧＣ電圧の分圧抵抗の一端を前記ＩＦ・ＡＧＣ電圧の最小値よりも低い電圧の基準電圧源に接続してもよい。
【００１６】
本発明のテレビ受信機は、上述のテレビ信号検出回路を用いたことを特徴とする。
【００１７】
【発明の実施の形態】
図１は本発明を適用したテレビ受信機のテレビ信号検出回路の要部を示すブロック図である。本発明が従来と異なるのは、フィルターを介した同期分離回路４からの同期分離出力（同期信号）を従来のように選局用マイコン７の水平同期カウンタ入力端子に直接入力するのではなく、コンデンサを介してＡＣ結合で入力する一方、中間周波数増幅回路３のＩＦ・ＡＧＣ電圧を抵抗ブリーダー８を介して選局用マイコン７の水平同期カウンタ入力端子にＤＣ結合で入力して同期信号に重畳する点である。なお、選局用マイコン７には、テレビの水平同期信号をカウントしてテレビ信号の有無を判定するテレビ信号検出用デジタル処理回路が備えられており、また、テレビ信号検出用デジタル入力端子としての水平同期カウンタ入力端子が備えられている。
【００１８】
ところで、リバースＡＧＣ方式におけるＩＦ・ＡＧＣ電圧特性は、例えば図２に示すように、テレビ信号レベルが無いか微弱な状態（図２に示す微弱電界）ではほぼ一定の電圧で、テレビ信号レベルが増大し規定の映像検波出力が得られる状態になると電圧が急激に立ち下がり、更にテレビ信号レベルが増えるとそれにほぼ比例して電圧が緩い傾斜で低下するようになっている。この立ち下がりポイントはテレビ受信機の設計にも依るが、通常、色消え電界と同等かそれ以下のテレビ信号レベルである。本発明では、このＩＦ・ＡＧＣ電圧の立ち下がり付近の大きな電圧変化を利用してテレビ信号検出回路の動作を制御するわけである。
【００１９】
図３及び図４に本発明の具体的な一実施例を示す。同期信号カウント回路を備えた選局用マイコン７の水平同期カウンタ入力端子にＤＣ結合で入力するＩＦ・ＡＧＣ電圧は、中間周波数増幅回路３のＩＦ・ＡＧＣ動作に悪影響を及ぼさないように高抵抗からなる抵抗ブリーダー８を介して供給される。
【００２０】
中間周波数増幅回路３のＩＦ・ＡＧＣ電圧を抵抗で分圧する抵抗ブリーダー８の分圧比は、ＩＦ・ＡＧＣ電圧の変化特性と選局用マイコン７の水平同期カウンタ入力端子の閾値特性の両面から最適状態に設定する。具体的には、テレビ信号を“有信号”として検出して欲しい電界では同期信号の下端がマイコンのＬレベル閾値Ｖｔｈ（Ｌ）より低くなり、且つテレビ信号を“無信号”として処理して欲しい電界では同期信号の下端がマイコンのＬレベル閾値Ｖｔｈ（Ｌ）より高くなるように抵抗Ｒ１・Ｒ２の値及び基準電圧源の基準電圧Ｖｒを設定する。その際、ＩＦ・ＡＧＣ電圧の変化特性を出来るだけ有効に活用するためには、抵抗ブリーダー８の分圧比を小さく設定した方が有利であり、Ｒ２とＲ１の比を大きくし、且つＲ１の絶対値もＩＦ・ＡＧＣ動作に悪影響を及ぼさないように大きくした方が良い。また、Ｒ２の一端に接続される基準電圧源の基準電圧ＶｒをＩＦ・ＡＧＣ電圧の最大値よりも高い電圧とすることによって、ＩＦ・ＡＧＣ電圧の分圧抵抗であるＲ２を大きくすることができ、その結果、閾値に対する電圧設定が容易となる。
【００２１】
このようにして抵抗ブリーダー８を適切に設定すると、その結果、テレビ信号検出回路における選局用マイコン７の水平同期カウンタ入力端子の閾値に対する入力同期信号のレベル関係は図４のようになり、受信したいレベルの有信号に対しては、カウント動作によってカウントされて確実に“有信号”として検出することができる。一方、不要な微弱テレビ信号やノイズのみの無信号チャンネルに対しては、カウント動作によってカウントされず確実に“無信号”として処理することができ、すなわち、有信号の微弱電界や無信号状態での局検出を禁止することができる。
【００２２】
このように、本発明によれば、ＩＦ・ＡＧＣ電圧を抵抗ブリーダーで任意な電圧特性に変換し、これを同期信号に重畳することにより、ノイズや無信号で誤動作することがなく、且つ信号検出感度に自由度のあるテレビ信号検出回路を得ることが出来る。
【００２３】
以上、本発明の実施の形態を、中間周波数増幅回路のＩＦ・ＡＧＣをリバース方式としたものに本発明を適用した例を用いて説明したが、リバース方式に替えて、ＩＦ・ＡＧＣをフォワード方式としたものに本発明を適用することも可能である。
【００２４】
フォワードＡＧＣ方式におけるＩＦ・ＡＧＣ電圧特性（図示省略）は、前述したリバースＡＧＣ方式におけるＩＦ・ＡＧＣ電圧特性とは異なる特性を示し、テレビ信号レベルが無いか微弱な状態ではほぼ一定の電圧であるが、テレビ信号レベルが増大し規定の映像検波出力が得られる状態になると電圧が急激に立ち上がり、更にテレビ信号レベルが増えるとそれにほぼ比例して電圧が緩い傾斜で増加するようになっている。この立ち上がりポイントはリバースＡＧＣ方式と同様に、通常、色消え電界と同等かそれ以下のテレビ信号レベルである。本発明は、このＩＦ・ＡＧＣ電圧の立ち上がり付近の大きな電圧変化を利用してテレビ信号検出回路の動作を制御することもでき、この場合も同様に、以上に説明した作用効果を得ることができる。ただし、フォワードＡＧＣ方式においては、Ｒ２の一端に接続される基準電圧源の基準電圧ＶｒをＩＦ・ＡＧＣ電圧の最小値よりも低い電圧に設定することによって、ＩＦ・ＡＧＣ電圧の分圧抵抗であるＲ２を大きくすることができ、その結果、閾値に対する電圧設定が容易となる。
【００２５】
以上説明した本発明のテレビ信号検出回路は、例えば携帯用または車載用の液晶テレビ等のテレビ受信機に用いることができ、上述した作用効果を有する極めて実用性の高いテレビ受信機を得ることができる。
【００２６】
【発明の効果】
以上説明したように、本発明に依れば、従来に対してブリーダー抵抗を追加するのみの簡単な回路変更と僅かなコストアップでテレビ信号検出に関し大きな性能改善効果が得られ、実使用上使い勝手の良いオート・プリセット機能及びオート・サーチ機能を実現することができる。
【図面の簡単な説明】
【図１】本発明を適用したテレビ信号検出回路の要部を示すブロック図である。
【図２】リバースＡＧＣ方式におけるＩＦ・ＡＧＣ電圧特性の一例を示す説明図である。
【図３】本発明を適用したテレビ信号検出回路の要部を示すブロック図である。
【図４】本発明を適用したテレビ信号検出回路における信号波形の一例を示す説明図である。
【図５】従来のテレビ信号検出回路の要部を示すブロック図である。
【図６】従来の信号検出回路における信号波形の一例を示す説明図である。
【図７】従来のテレビ信号検出回路の他の一例の要部を示すブロック図である。
【符号の説明】
１  受信アンテナ
２  選局用チューナー
３  中間周波数増幅回路
４  同期分離回路
５  映像復調回路
６  表示回路
７  選局用マイコン
８  抵抗ブリーダー
【図１】
0003758416.tif 000002
【図２】
0003758416.tif 000003
【図３】
0003758416.tif 000004
【図４】
0003758416.tif 000005
【図５】
0003758416.tif 000006
【図６】
0003758416.tif 000007
【図７】
0003758416.tif 000008